(57)【要約】    【課題】  水栓用部品が固設された水栓用配管の軸心周りの方向決めを簡便な作業で行うことができ、また、別部材を必要とすることなく水栓用部品が固設された水栓用配管の軸心周りの方向決めを行うことができる水栓用配管の回動防止構造を提供すること。    【解決手段】  外周面に噴出装置２６が固設される銅管２８において、銅管２８を偏芯させて設け、銅管２８を、偏芯させて設けられた固定軸（電磁弁装置２４の接続部２５及び固定金具３６の各部位）において、それぞれ固定することとした。。    【選択図】    図４
2005105687.tif 000002
【特許請求の範囲】
【請求項１】
外周面に水栓用部品が固設される水栓用配管の回動防止構造であって、前記水栓用配管を固定する複数の部位における前記水栓用配管の固定軸が偏芯されて設けられたことを特徴とする水栓用配管の回動防止構造。  
【請求項２】
前記水栓用部品は吐水具であることを特徴とする請求項１に記載の水栓用配管の回動防止構造。  
【発明の詳細な説明】
【技術分野】
【０００１】
本発明は、水栓用配管の回動防止構造に関する。
【背景技術】
【０００２】
従来、水栓用部品が固設される水栓用配管が知られている。このような水栓用部品が固設された水栓用配管は、例えば、浴室内に立設されたミストシャワー装置内に配設され略鉛直方向に立ち上がるストレート状の配管の外周面に、ミストシャワー用の噴出口（吐水口の一種）が固設されて、噴出口が使用者側に向けられるように位置決めされて取り付けられるものが知られている（例えば、特許文献１参照。）。
【０００３】
【特許文献１】特開平５−７６４５９号公報（図１、図２）
【発明の開示】
【発明が解決しようとする課題】
【０００４】
上記した従来の水栓用配管では、使用者がミストシャワーを充分に浴びられるようにするためには、噴出口が固設された配管がその軸心周りに左右に偏らず、噴出口の向きが使用者の正面に向けて適切に方向決めされるように、配管の向きが固定されている必要がある。ところが、例えば、水栓側に配管を接続して固定するような場合に、水栓側に配管を挿嵌接続などしようとするとストレート状の配管は水栓側の接続部と同軸上で接続されるため、配管はその軸心周りの方向が定まらず、配管外周面の所定位置に固設された噴出口の向きをミストシャワー装置からみて所望の方向に向けることは容易ではない。したがって例えば、配管の一次側を水栓などに接続する場合には、配管側及び水栓側の双方に鍔部などを設け、両鍔部をビス止めして配管の方向決めをする必要があるなど、配管の軸心周りの方向決めのために別部材が必要とされていた。
【０００５】
本発明は上記した従来の水栓用部品が固設された水栓用配管の問題点を解消するものであり、水栓用部品が固設された水栓用配管の軸心周りの方向決めを簡便な作業で行うことができ、また、別部材を必要とすることなく水栓用部品が固設された水栓用配管の軸心周りの方向決めを行うことができる水栓用配管の回動防止構造を提供することを目的とする。
【課題を解決するための手段】
【０００６】
以上の課題を解決するために、本発明の採った手段を以下に説明する。本発明の水栓用配管の回動防止構造は「外周面に水栓用部品が固設される水栓用配管の回動防止構造であって、前記水栓用配管を固定する複数の部位における前記水栓用配管の固定軸が偏芯されて設けられたことを特徴とする水栓用配管の回動防止構造。」である。
【０００７】
このように、水栓用配管が固定される複数の部位において、この水栓用配管の固定軸が偏芯されて設けられることにより、複数の部位において水栓用配管を固定するだけで水栓用配管の軸心周りの方向決めが常に定まる。よって、その外周面に固設された水栓用部品の向きを一定の方向に定める必要がある場合に、別部材を用いて水栓用配管の方向を定めなくとも、極めて簡素な構造で水栓用部品を適切な方向に定めることができる。また、単に水栓用配管を固定するだけの作業で水栓用部品が自ずと適切な方向に向くことになるので、方向決めのための固有の作業は省略することができる。
【０００８】
また、上記した水栓用配管の回動防止構造において、前記水栓用部品を吐水具とすること（請求項２）としても良い。
【０００９】
固設される水栓用部品が吐水具である場合、吐水具から吐出される湯水の方向を適切に定められるので、吐水具の使用感を向上させることができる。「吐水具」には、吐水を行う種々の水栓用部品が含まれ、吐水口、シャワー、ミストシャワー等のすべてを含む。  
【発明の効果】
【００１０】
本発明の水栓用配管の回動防止構造は、上記のように水栓用配管を固定する複数の部位における前記水栓用配管の固定軸が偏芯されて設けられているので、水栓用配管の軸心周りの方向決めを簡便な作業で行うことができ、また、別部材を必要とすることなく水栓用部品が固設された水栓用配管の軸心周りの方向決めを行うことができる。
【発明を実施するための最良の形態】
【００１１】
次に、本発明のミストシャワー装置の実施の形態を図を参考にして詳細に説明する。本発明のミストシャワー装置１０は、図１に示すように浴室１内の床面２から立設される壁面３に取り付けられており、図１の正面側、すなわち浴室１中央に向けて、上下方向に８個の噴出口１２が略一直線上に配設されている。また、ミストシャワー装置１０の右横近傍の壁面３には、後述するミストシャワー装置１０内に内蔵された電磁弁装置２４に接続されてこの電磁弁装置２４の弁体を開閉駆動する操作スイッチ５、及びミストシャワーの湯温を調節する操作スイッチ６が設置されている。
【００１２】
図２及び図３に示すように、このミストシャワー装置１０は、ビス止めされて壁面３に固定されており、その略全体を覆う縦長方形状のカバー１４が取り付けられている。また、そのカバー１４の背面側上部には、カバー１４内部に収容される止水栓１６の接続口１８が露呈される開口２０が設けられている。そして、この開口２０に挿通されて、壁面３裏側から引き回される配管４が止水栓１６の接続口１８に接続されている。
【００１３】
ミストシャワー装置１０本体には、上下方向に略一直線上に配設されて取付ベース１１に固定された止水栓１６、電磁弁装置２４、８個の噴出装置２６が備えられている。ミストシャワー装置１０の上部には、上記したように配管４に連通接続され、配管４から湯水が供給される止水栓１６がビス止めされて配設固定されている。この止水栓１６の操作により止水栓１６よりも二次側への湯水の流通を一時的に停止し、止水栓１６よりも二次側の各水栓部品のメンテナンス作業を行ったり、さらに電磁弁装置２４を開放して、寒冷時における止水栓１６よりも二次側の凍結防止のための水抜きを行うことができる。また、カバー１４のうち、この止水栓１６を覆う部位の操作部カバー体２２は、カバー１４本体から取り外し可能に設けられており、カバー１４本体を取付ベース１１から取り外さなくとも、操作部カバー体２２を取り外すだけで止水栓１６の操作が可能とされ、止水栓１６操作の利便性が図られている。
【００１４】
止水栓１６の下部には、止水栓１６に連通接続された電磁弁装置２４が配設されている。電磁弁装置２４は、上記した操作スイッチ５の操作による電気信号により開閉駆動されるものであり、電磁弁装置２４の二次側の噴出装置２６への湯水の供給・停止を行うものである。電磁弁装置２４は、その接続部２５が側面視略Ｌ字状の板状のステー２３に固定され、さらにこのステー２３が取付ベース１１に固定金具３７により固定されて、取付ベース１１に固定されている。そしてまた、電磁弁装置２４の二次側には噴出装置２６が取り付けられた銅管２８が接続されている。なお、この銅管２８が本発明に言う「水栓用配管」の一例である。
【００１５】
図２及び図４に示すように、銅管２８は電磁弁装置２４の下方に略垂下されて接続されている。さらに詳しく説明すると、銅管２８は、ミストシャワー装置１０の下方に向けて、ミストシャワー装置１０の前方寄りに配置される電磁弁装置２４の接続部２５からミストシャワー装置１０後方寄りに向けて緩やかに斜めに屈曲される屈曲部２９と、次いで取付ベース１１の表側に沿って下方に向けて直線上に延伸されたストレート部３０とから構成されている。ストレート部３０には、ミストシャワー装置１０正面側に向けて、８個の噴出装置２６がミストシャワー装置１０の上下方向、すなわちストレート部３０の軸心に沿って略一直線上に固設されている。この噴出装置２６は銅管２８に各々連通接続されており、ノズル押さえ３２と、このノズル押さえ３２に対してノズル押さえ３２正面側においてその先端方向を自在に可変可能に自由担持されたノズル３４が備えられており、さらにこれらのノズル３４先端には、霧状のミストを噴出する小径の噴出口１２が設けられている。そして、ノズル３４の向きを変えることにより、噴出口１２から噴出されるミストの向きを所定の範囲内で変更することができるように構成されている。また、本ミストシャワー装置１０は多数の噴出装置２６が上下に配設されているので、使用者は身体全体にミストを充分に浴びることができる。そして銅管２８は、ストレート部３０の３カ所において固定金具３６によって取付ベース１１に固定されている。
【００１６】
図５に示すように、銅管２８はその横断面が略真円形状に形成されており、この銅管２８の外周面に合わせるようにされた円弧部４０を備えた固定金具３６により固定されている。固定金具３６は、この円弧部４０を備えた保持部材４２と、取付ベース１１に固定されると共にこの保持部材４２がビス止めされるベース部材４４とから構成されている。このように横断面略真円形状の銅管２８は円弧部４０内に保持されているが、上記したように、銅管２８の上部端部は、ストレート部３０の軸心から偏芯された屈曲部２９とされており、この屈曲部２９がステー２３により固定された電磁弁装置２４の接続部２５に位置決め固定されて接続されている。よって、このように偏芯された銅管２８のストレート部３０に取り付けられた噴出装置２６は、銅管２８のステー２３への取付位置と固定金具３６への取付位置との位置関係によって、ストレート部３０の軸心周りのいずれの方向に向くかあらかじめ定められることとなる。なお、取付後の銅管２８のガタツキ防止やずれ防止のために、固定金具３６が取り付けられる部位の銅管２８周りにプラスチックテープなどを巻き付けておいても良い。
【００１７】
このようにあらかじめ定められた向きに噴出装置２６を向けることができるので、設置後のミストシャワー装置１０からミストを適切な方向に噴出できるようにすることができる。そして、例えば噴出装置２６が取り付けられる配管がストレート状である場合には、固定金具３６等により固定する際にも配管は軸心周りに回動可能なので軸心周りの向きは定められない。よって、噴出装置２６の向きも適切な方向に向くものとは限られず、噴出装置２６の向きを適切な方向に向けながら配管の固定作業を行わなければならないなどの煩雑な作業を強いられる。本ミストシャワー装置１０では、上記したように、銅管２８が固定された際の噴出装置２６の配管軸心周りの方向は定まっているので、単に銅管２８を取付ベース１１等に固定するだけで噴出装置２６は適切にその向きが定められることとなり、例えば、屈曲部２９側の銅管２８端部に鍔部などを設けて、この鍔部をステー２３等にビス止めするなど別部材を用いて方向決めをする必要はない。
【００１８】
また、偏芯された銅管２８のうち、その上端のミストシャワー装置１０正面寄りに位置する屈曲部２９先端の後方に電磁弁装置２４が配設される一方、ミストシャワー装置１０背面寄りに位置するストレート部３０の正面側に噴出装置２６が固設されているので、ストレート状の配管にこれらの各部品を取り付けた場合に比べて、ミストシャワー装置１０前後方向への噴出装置２６の突出量を、銅管２８が偏芯された距離だけ縮めることができ、ミストシャワー装置１０のコンパクト化を図ることもできる。
【００１９】
また図６に示すように、これらの噴出口１２のうちその最上部に位置する噴出口１２ａについては、床面２からの高さが１２００ミリメートルとなるように配設されている。この噴出口１２ａからのミストは、立った状態の使用者の肩付近に向けて適度な高さにて噴出させることができ、使用者の顔や頭髪に直接はミストがかかることはない。また、噴出口１２ａの他に７個の噴出口１２が下方に向けて配設されているので、肩口から股下周辺までの、ミストを浴びることによって癒し効果やリラクゼーション効果を効果的に得ることができる身体の部位に、充分にミストを浴びることができる。これらの各噴出口１２の間隔は５０ミリメートルに設けられており、最下部の噴出口１２ｂは床面２から８５０ミリメートルの高さに設けられている。また、このミストシャワー装置１０を用いて浴室１内をサウナ状態とするとき、又は気温が低い場合にあらかじめ浴室１内を暖めるために温水を噴出するときにも、適度な高さに設けられた噴出口１２により、浴室１の上下に渡って浴室１内を迅速に暖めることができる。
【００２０】
本実施の形態は上記のように構成されているが、本発明はこれに限られることなく、本発明の趣旨の範囲内で種々の変更が可能である。例えば、銅管２８は緩やかに屈曲された屈曲部２９を備えてその両端を偏芯させることとしているが、これに限られず、略クランク状に略直角方向に屈曲された屈曲部や、偏芯された両端軸を直線的に結んだストレート状のパイプを斜めに介在させることにより固定軸を偏芯させることとしても良い。また、単一のパイプから構成されるのではなく、複数のパイプを接続して構成されるものとしても良い。しかしながら、下方の噴出装置２６側に残水を円滑に排出させるためや、両端軸が偏芯された銅管を容易に製造するためには、銅管のストレートパイプを緩やかに屈曲形成させて製造可能な本例のように、緩やかな屈曲部２９を備えた銅管２８のような配管を用いることが望ましい。また、銅管２８に限られず、他の材質、例えば合成樹脂製の配管を用いることも可能である。また、水栓用配管は、銅管２８に限られず、通常断面略真円形状の丸パイプが用いられることが多いが、丸パイプ以外の、例えば、断面方形のパイプをその側面を固定用金具等で固定する場合などでも、ストレート状のパイプであれば４カ所の方向に向けられる可能性があるので、上記した断面略真円形状とは異なる水栓用配管においても、容易な方向決めのためには、本例のように固定軸を偏芯させて形成することが好適である。
【図面の簡単な説明】
【００２１】
【図１】本実施の形態に係るミストシャワー装置の斜視図である。
【図２】本実施の形態に係るミストシャワー装置の側面視縦断面図である。
【図３】本実施の形態に係るミストシャワー装置の正面視一部破断面図である。
【図４】本実施の形態に係るミストシャワー装置本体の一部斜視図である。
【図５】本実施の形態に係るミストシャワー装置の図２のＡ−Ａ’線断面図である。
【図６】本実施の形態に係るミストシャワー装置及び浴室の側面視縦断面図である。
【符号の説明】
【００２２】
１；浴室、２；床面、３；壁面、４；配管、５；操作スイッチ、６；操作スイッチ、１０；ミストシャワー装置、１１；取付ベース、１２；噴出口、１４；カバー、１６；止水栓、１８；接続口、２０；開口、２２；操作部カバー体、２３；ステー、２４；電磁弁装置、２５；接続部、２６；噴出装置、２８；銅管、２９；屈曲部、３０；ストレート部、３２；ノズル押さえ、３４；ノズル、３６；固定金具、３７；固定金具、４０；円弧部、４２；保持部材、４４；ベース部材。
【図１】
2005105687.tif 000003
【図２】
2005105687.tif 000004
【図３】
2005105687.tif 000005
【図４】
2005105687.tif 000006
【図５】
2005105687.tif 000007
【図６】
2005105687.tif 000008